(57)【要約】【課題】現在主流のイカ角投入器が大きくて、狭い船中では非常に邪魔になる事と、投入に際して錘を力一杯前方に投げなければならない為とても危険である。力が弱いと途中で止まってしまう。取り扱いも難しくイカ角を装着する時、角に勢いを付けて筒の中に入れなければならない。筒の中が濡れてくるとそれは顕著である。これら諸問題の解決。【解決手段】  折りたため小さくなる本体構造を持たせ、船べり固定機能も内蔵させ、容易にイカ角を投入できるホルダー部３と固定部４による性能を持ち、長い幹糸２３を確実に留める幹糸装着部６，１４を持つことを特徴とする。【選択図】図１
2008148680.tif 000002
【特許請求の範囲】
【請求項１】
イカ角を留めやすく投入時に引っ掛かりをなくすため扇状のくぼんだイカ角固定部と、櫛及びブラシ状のイカ角ホルダー部を持ち、折りたたむ事によりコンパクトになると共に、イカ角投入時に幹糸との抵抗を無くす為、傾斜のついたイカ角装着部を持ち。本体が船ベリ  に固定できるようにスプリングを有する万力状の本体を持つと共に、作業性向上の為のイカ角仮留め部を持つ小型軽量構造を特徴とするイカ角投入器。
【請求項２】
ワイヤーによるカラミ止め部、折りたたんだ幹糸装着部を垂直に固定する装置、本体の側面での幹糸のカラミを防止する装置を有するイカ角投入器。
【発明の詳細な説明】
【技術分野】
【０００１】  本発明はイカ釣りの７メートル位ある仕掛けを船上で整理し、投入に際して絡まることなく投入できることを目的としたイカ角投入器に関する。
【背景技術】
【０００２】  イカ釣り用の長い仕掛けをセットするため、現在主流の投入器は６０〜９０センチも有る長い円筒を横に６〜７本繋げただけの非常に大きいものである。【０００３】  実際のイカ釣り時に大きすぎて非常に邪魔で足元を広く使ってしまう為、船上の歩行にも難点となっている【０００４】  投入に際しては、強く高く投げないと投入器に絡まってしまう。又、装着する時も強く円筒内に投げ入れないとイカ角が入り口で止まってしまう。イカ角の針先が円筒内で擦れたり、低く出た時は入り口で傷つく。【０００５】
【特許文献１】  特開２００５−１４３４８６号広報
【発明の開示】
【発明が解決しようとする課題】
【０００６】  上記のごとく現在の投入器は大きくて重く、足元が狭くなり邪魔で危ない。【０００７】  投入に際しては思い切り錘を投げなければ投入できない為本人や周りの人も危険である。【０００８】  イカ角を装着する時、投入器の円筒内に入れにくく、なれないと奥までイカ角が入らない。特に円筒内が濡れている時ハリス、幹糸が壁に張り付き挿入困難が顕著である。
【課題を解決するための手段】
【０００９】  小型にして使いやすくする為、各部を全て折りたためるようにした。船べりに固定する装置も本体に内蔵し、本体自体が万力となるようにした。【００１０】  投入に際し絡まないように抜けやすく装着しやすいイカ角固定部を作成し、波や風の影響を防ぐ為櫛、ブラシ状のホルダー部を考案しその２つで軽く、確実な投入を実現した。ホルダー部が櫛状になっているのは、投入時イカ角の回転により針が引っ掛かりやすいので、それを逃げるための構造である。【００１１】  イカ角の装着板に角度を付けた。海に向けて下げることで大幅に抵抗を減少させた。【００１２】  仕掛けの幹糸が固定しやすくスムーズに抜けるようにする為、幹糸装着部に前向きに傾斜する角度を付けた、柔らかい材質の櫛、ブラシ状とした。
【発明の効果】
【００１３】  以上説明した様に本発明により釣り船上で邪魔にならず、足元も広く使えるようになった。雨、風、波による影響も少なくイカ角は固定され、投入に際して錘を強く飛ばさずに軽くスムーズな投入が可能となった。
【発明を実施するための最良の形態】
【００１４】  以下、本発明の実施の形態を図面に基づき詳細に説明する。【００１５】  図１は本発明の実施形態、概観斜視図である。図２はその縦断面図、図３〜図７は各部の詳細説明図、図８は収納した時の形態図、図９は一般的に広く使われているイカ仕掛図。【００１６】  図１で示すように本発明を船べり１に取り付けた図で、イカ角装着部５は船外に突き出ている。船べり１上には分割された本体７，８が乗り、ステンレス軸１９左右２本により連結されて、スプリング１８により延び縮みする。幹糸装着部９，１３は蝶番によって繋がれ固定具１２によって垂直に固定される。イカ角はホルダー３と固定部４に収納され、イカ角仕掛けの幹糸は幹糸装着部６，１４に収納される。カラミ止めワイヤー１５で幹糸２３の装着版１３へのカラミを防止する。イカ角仮止め部１０を設け、イカの取り入れ時の操作性を向上させる。【００１７】  図２の縦断面図で表すようにイカ角２は下向きに装着され、イカ角装着部５は投入時の抵抗を大きく減らす為に傾斜させている。本体７，８は船べり１の上に船べり押さえ具２１，２２で押さえられ、スプリング１８により強く固定される。側面カラミ止め１７で幹糸が本体７にカラムのを防止する。【００１８】  図３はイカ角２を左右前後のゆれ、風から守り、他のイカ角とのカラミ防止の役目を果たす。材質は柔軟性のあるもので制作する。細かく切れ目が入ることにより、投入時イカ角が針を手前に回転してくるのを逃がし、引っかかりの原因を防ぐ。先に有る出っ張り、返しはイカ角がホルダー部から外れ難くするためである。【００１９】  図４はイカ角固定部４の詳細で、切り込みの下部でイカ角２の先端部を固定させる。投入時の左右のブレや風に対処できるよう扇形に広がっている。これにより広角度の投入が可能になる。【００２０】  図５は幹糸止め６、１４の詳細で、蝶番を逆に使うことで一定の角度で固定できる事が分かり、その作用を使い抵抗を減らすための傾斜を付けた。又片側２枚のプレート構成になっている為、幹糸止め６，１４の軟質材による糸止めの部材を挟むことができる。その形状はノコギリ状で三角形の幹糸２３導入部と固定するための切込みを設けている。【００２１】  図６はカラミ止めワイヤー１５のワイヤー止め具１６の動き方の説明図である。上段が使用時の位置、下段は収納時で幹糸装着部１３の中に納まる。【００２２】  図７は幹糸装着部９，１３を垂直に固定するための固定具１２の説明。上段は収納時で下段は使用時、ネジ止めされた箇所を中心に回転する。幹糸装着部９にまたがせる事により垂直に固定できる。【００２３】  図８はイカ角投入器の全ての部品を収納し折りたたんだ状態の図。全て本体７，８の下に折り込む事ができ、非常に小さく出来る。この為、持ち運びが非常に便利である。【００２４】  図９は一般的イカ釣り仕掛けの図である。７本針仕掛けで全長は７メートルを越える。
【実施例】
【００２５】  イカ角投入器、図８はＤ１２０×Ｗ３００×Ｈ４０と従来の筒式投入器に比べてかなり小さくなった。その、為持ち運びの便利性が向上した。最近増加傾向に有る女性釣師やお年寄り等でも用意に持参できるサイズ、重さとなり船上でも場所をとらず、投入は軽く出来るようになった。海水による腐食を考慮しステンレス材を中心に使用する。本体は海に落ちても沈まないように木材か軽量のプラスチック類を使用するのが最適である。【００２６】  以上、本発明の実施の形態及び実施例を説明したが、本発明を基に色々な展開が可能である。日本近海には何種類ものイカが存在し、その釣り方、イカ角も多種多様である。例えば大型のアカイカなどに用いられるイカ角は太くて長くハリスだけでも５０センチある。それらに対応しスケールアップしたものや、針数をもっと使いたい人向けに幅を広げ１０〜１２本対応など、投入器本体の調整とイカ角ホルダーの形状調整で可能である。
【産業上の利用可能性】
【００２７】  本発明は釣具店や遊漁船等に釣り道具を製造販売する産業分野で利用する事ができる。
【図面の簡単な説明】
【００２８】
【図１】  本発明の第１の実施の形態に係るイカ角投入器の外観斜視図である。
【図２】  図１のイカ角投入器の縦断面図である。
【図３】  図１のイカ角ホルダー部の詳細図である。
【図４】  図１のイカ角固定部の詳細図である。
【図５】  図１の幹糸装着部の詳細図である。
【図６】  図１のカラミ止めワイヤーとワイヤー止め具の説明図である。
【図７】  図１の折りたたみ式の幹糸装着部、固定具の説明図である。
【図８】  図１のイカ角投入器をたたんだ時の側面図である。
【図９】  一般的な一番良く使われているイカ角仕掛け図である。
【符号の説明】
【００２９】１          船べり
２          イカ角
３          イカ角ホルダー
４          イカ角固定部
５          イカ角装着部
６、１４    幹糸装着部
７，８      本体
９，１３    幹糸装着板
１０        イカ角仮止め部
１１        蝶番
１２        幹糸装着板固定具
１５        カラミ防止ワイヤー
１６        ワイヤー止め具
１７        側面カラミ止め
１８        スプリング
１９        ステンレス軸
２０        ステンレス軸押さえ部
２１，２２  船べり押さえ具
２３        幹糸
【図１】
2008148680.tif 000003
【図２】
2008148680.tif 000004
【図３】
2008148680.tif 000005
【図４】
2008148680.tif 000006
【図５】
2008148680.tif 000007
【図６】
2008148680.tif 000008
【図７】
2008148680.tif 000009
【図８】
2008148680.tif 000010
【図９】
2008148680.tif 000011